(57)【要約】【課題】本発明は快速な水質オンライン監視設備を開示した。【解決手段】溝渠と前記溝渠に固定に設置されて前記溝渠を遮断する堤体を含み、前記堤体が前記溝渠の頂部より高いかつ前記堤体の左端面の頂部に左伸長ブロックが一体式に設置され、前記左伸長ブロクの左側に左に傾いて設置されるガイドプレートが固定に接続され、前記堤体の左端面に前記溝渠の頂端面の上に開き溝が設置され、前記堤体の左端面に前記溝渠の頂端面の下に排水溝が設置され、本発明は構造が簡単で、操作が簡単かつ便利で、水位の上昇または降下にしたがって自動的に水の排出と監視の仕事をコントロールすることを実現し、装置全体が環境を保護でき、占める面積が小さく、現代化農業灌漑の使用に相応しく、水が溝渠外に溢れることを避け、本装置の使用寿命も延長し、水を監視する効果が著しく、現在に溝渠に対する使用需要を満足する。【選択図】図1
2019203870.tif 000002
【特許請求の範囲】
【請求項１】
快速な水質オンライン監視設備は、溝渠と前記溝渠に固定に設置されて前記溝渠を遮断する堤体を含み、前記堤体が前記溝渠の頂部より高いかつ前記堤体の左端面の頂部に左伸長ブロックが一体式に設置され、前記左伸長ブロクの左側に左に傾いて設置されるガイドプレートが固定に接続され、前記堤体の左端面に前記溝渠の頂端面の上に開き溝が設置され、前記堤体の左端面に前記溝渠の頂端面の下に排水溝が設置され、前記堤体の右端面の底部位置に近接するところに流出溝が設置され、前記流出溝の底端壁に沈み溝が設置され、前記排水溝と前記流出溝の間に傾斜溝が連通され、前記流出溝の頂端壁に上に伸びる縦様シュートが設置され、前記開き溝の右端壁に前記縦様シュートの頂端と相通する横様シュートが設置され、前記排水溝と前記横様シュートの間に閉鎖シュートが連通され、前記排水溝の底端壁に前記閉鎖シュートと相対する閉鎖カード溝が設置され、前記閉鎖シュートに上下にスライドする閉鎖スライドブロックが設置され、前記閉鎖スライドブロックの左端面の頂部に左へ前記開き溝を貫通するかつ前記開き溝の外部に伸びる押し板が固定に設置され、前記押し板の頂端面にバランスウェイトブロックが嵌入し設置され、前記閉鎖スライドブロックの右端面に歯棹が嵌入し設置され、前記横様シュートの左端の底部に第一伝動組が設置され、前記縦様シュートの頂端に第二伝動組が設置され、前記縦様シュートの底端に第三伝動組と前記縦様シュートから差し出る監視装置が設置され、前記縦様シュートの中に前記監視装置と前記第三伝動組の間に仕切板が設置され、前記仕切板の中間に貫穴が設置され、前記横様シュートの頂端壁に指摘部品が設置され、前記堤体の左端面に牽引フックが設置され、前記牽引フックに長線が繋がれ、前記長線の前記牽引フックから遠離する一端にフロートが繋がれ、前記排水溝の左端の開口に濾過網が設置され、前記堤体の頂部に防護部品が設置され、前記指摘部品が前記横様シュートの頂端壁に設置される押出溝と前記堤体の頂端面に設置されるランプ保有溝を含み、前記押出溝と前記ランプ保有溝の間に右スライド溝が連通され、前記押出溝の頂端壁にばね溝が設置され、前記ばね溝に押出ばねが設置され、前記右スライド溝に上下に昇降できる右スライドブロックが設置され、前記押出溝に前記右スライドブロックの底端と固定に接続される押出ブロックが設置され、前記ランプ保有溝に前記右スライドブロックの頂端と固定に接続されるＬＥＤ指示ランプが設置され、前記押出ばねの頂端が前記ばね溝の頂端壁と固定に接続され、前記押出ばねの底端が前記押出ブロックの頂端面と固定に接続され、前記押出ばねが前記押出ブロックを下へ圧することに用いられ、前記押出ブロックの左端が前記閉鎖スライドブロックの上に位置し、前記防護部品がキャノピフードと前記キャノピフードの左右両端に設置される凸耳部を含み、前記凸耳部が螺子釘を通じて前記堤体の頂部と固定に接続され、前記キャノピフードが前記ランプ保有溝の外部に取付けられ、前記ガイドプレートの底端面が前記溝渠の頂端面と平行かつ行揃え、前記流出溝が前記排水溝より低く、前記閉鎖スライド溝の底端の開口面積が前記閉鎖カード溝の頂端の開口面積と同じく、前記閉鎖スライドブロックが前記押し板と一体式構造であり、前記第一伝動組が前記横様シュートの前後頂端壁に回転し係合し接続される第一回転軸と前記第一回転軸に固定に設置されるかつ前記歯棹と噛み合う第一歯車を含み、前記第一回転軸に前記第一歯車の前端に第一ベルトプリーが固定に設置され、前記第一ベルトプリーの直径が前記第一歯車の直径より小さく、前記第二伝動組が前記縦様シュートの前後頂端壁に回転し係合し接続される第二回転軸と前記第二回転軸に固定に設置されるかつ前記第一ベルトプリーと相対する第二ベルトプリーを含み、前記第二回転軸に前記第二ベルトプリーの後端に回転ドラムが固定に設置され、前記第三伝動組が前記縦様シュートの前後両端壁に回転し係合し接続される第三回転軸を含み、前記第三回転軸に案内車が固定に設置され、前記回転ドラムと前記監視装置の間に引縄が繋がれ、前記引縄が前記案内車を避けて前記案内車と突合うかつ前記貫穴を通し、前記第一ベルトプリーと前記第二ベルトプリーの間に伝動ベルトが係合し接続され、前記第一ベルトプリーと前記第二ベルトプリーの直径が同じく、前記第二ベルトプリーと前記案内車の直径が同じく、前記回転ドラムがロープ巻胴であり、前記監視装置がPH監視器、重金属監視器、細菌監視器と濁度監視器を含み、前記PH監視器、重金属監視器、細菌監視器と濁度監視器がいずれも監視計算主機と接続され、これにより監視した溝渠中の水の情報を監視計算主機に送信して計算し処理する。
【発明の詳細な説明】
【技術分野】
【０００１】
本発明は水利技術分野に関し、具体的には、快速な水質オンライン監視設備に関する。
【背景技術】
【０００２】
現在に、国内では多くの小型水域が水質監視設備が取付けられておらず、此れは現在の水質監視の大部分が主要的な水域に集中され、小型の河または灌漑溝渠では価格が高くて機型が膨大であるため、装置の取付けが実施しておらず、特に灌漑溝渠では、灌漑用水の汚染が農作物の死亡に繋ぎ、農作物の凶作から災害までをもたらす。このため、現在の水質監視設備は灌漑溝渠の使用を満足できず、快速な水質オンライン監視設備が切に必要である。
【先行技術文献】
【特許文献】
【０００３】
【特許文献１】中国特許出願公開第105974081号明細書
【発明の概要】
【発明が解決しようとする課題】
【０００４】
本発明の目的は上記の背景技術に提出された問題を解決するための快速な水質オンライン監視設備を提供することにある。
【０００５】
上記の目的を実現するために、本発明には、溝渠と前記溝渠に固定に設置されて前記溝渠を遮断する堤体を含み、前記堤体が前記溝渠の頂部より高いかつ前記堤体の左端面の頂部に左伸長ブロックが一体式に設置され、前記左伸長ブロクの左側に左に傾いて設置されるガイドプレートが固定に接続され、前記堤体の左端面に前記溝渠の頂端面の上に開き溝が設置され、前記堤体の左端面に前記溝渠の頂端面の下に排水溝が設置され、前記堤体の右端面の底部位置に近接するところに流出溝が設置され、前記流出溝の底端壁に沈み溝が設置され、前記排水溝と前記流出溝の間に傾斜溝が連通され、前記流出溝の頂端壁に上に伸びる縦様シュートが設置され、前記開き溝の右端壁に前記縦様シュートの頂端と相通する横様シュートが設置され、前記排水溝と前記横様シュートの間に閉鎖シュートが連通され、前記排水溝の底端壁に前記閉鎖シュートと相対する閉鎖カード溝が設置され、前記閉鎖シュートに上下にスライドする閉鎖スライドブロックが設置され、前記閉鎖スライドブロックの左端面の頂部に左へ前記開き溝を貫通するかつ前記開き溝の外部に伸びる押し板が固定に設置され、前記押し板の頂端面にバランスウェイトブロックが嵌入し設置され、前記閉鎖スライドブロックの右端面に歯棹が嵌入し設置され、前記横様シュートの左端の底部に第一伝動組が設置され、前記縦様シュートの頂端に第二伝動組が設置され、前記縦様シュートの底端に第三伝動組と前記縦様シュートから差し出る監視装置が設置され、前記縦様シュートの中に前記監視装置と前記第三伝動組の間に仕切板が設置され、前記仕切板の中間に貫穴が設置され、前記横様シュートの頂端壁に指摘部品が設置され、前記堤体の左端面に牽引フックが設置され、前記牽引フックに長線が繋がれ、前記長線の前記牽引フックから遠離する一端にフロートが繋がれ、前記排水溝の左端の開口に濾過網が設置され、前記堤体の頂部に防護部品が設置される。
【０００６】
好ましい技術プランとして、前記指摘部品が前記横様シュートの頂端壁に設置される押出溝と前記堤体の頂端面に設置されるランプ保有溝を含み、前記押出溝と前記ランプ保有溝の間に右スライド溝が連通され、前記押出溝の頂端壁にばね溝が設置され、前記ばね溝に押出ばねが設置され、前記右スライド溝に上下に昇降できる右スライドブロックが設置され、前記押出溝に前記右スライドブロックの底端と固定に接続される押出ブロックが設置され、前記ランプ保有溝に前記右スライドブロックの頂端と固定に接続されるＬＥＤ指示ランプが設置され、前記押出ばねの頂端が前記ばね溝の頂端壁と固定に接続され、前記押出ばねの底端が前記押出ブロックの頂端面と固定に接続され、前記押出ばねが前記押出ブロックを下へ圧することに用いられ、前記押出ブロックの左端が前記閉鎖スライドブロックの上に位置し、前記防護部品がキャノピフードと前記キャノピフードの左右両端に設置される凸耳部を含み、前記凸耳部が螺子釘を通じて前記堤体の頂部と固定に接続され、前記キャノピフードが前記ランプ保有溝の外部に取付けられる。
【０００７】
好ましい技術プランとして、前記ガイドプレートの底端面が前記溝渠の頂端面と平行かつ行揃え、前記流出溝が前記排水溝より低く、前記閉鎖スライド溝の底端の開口面積が前記閉鎖カード溝の頂端の開口面積と同じく、前記閉鎖スライドブロックが前記押し板と一体式構造である。
【０００８】
好ましい技術プランとして、前記第一伝動組が前記横様シュートの前後頂端壁に回転し係合し接続される第一回転軸と前記第一回転軸に固定に設置されるかつ前記歯棹と噛み合う第一歯車を含み、前記第一回転軸に前記第一歯車の前端に第一ベルトプリーが固定に設置され、前記第一ベルトプリーの直径が前記第一歯車の直径より小さく、前記第二伝動組が前記縦様シュートの前後頂端壁に回転し係合し接続される第二回転軸と前記第二回転軸に固定に設置されるかつ前記第一ベルトプリーと相対する第二ベルトプリーを含み、前記第二回転軸に前記第二ベルトプリーの後端に回転ドラムが固定に設置され、前記第三伝動組が前記縦様シュートの前後両端壁に回転し係合し接続される第三回転軸を含み、前記第三回転軸に案内車が固定に設置され、前記回転ドラムと前記監視装置の間に引縄が繋がれ、前記引縄が前記案内車を避けて前記案内車と突合うかつ前記貫穴を通し、前記第一ベルトプリーと前記第二ベルトプリーの間に伝動ベルトが係合し接続される。
【０００９】
好ましい技術プランとして、前記第一ベルトプリーと前記第二ベルトプリーの直径が同じく、前記第二ベルトプリーと前記案内車の直径が同じく、前記回転ドラムがロープ巻胴である。
【００１０】
好ましい技術プランとして、前記監視装置がPH監視器、重金属監視器、細菌監視器と濁度監視器を含み、前記PH監視器、重金属監視器、細菌監視器と濁度監視器がいずれも監視計算主機と接続され、これにより監視した溝渠中の水の情報を監視計算主機に送信して計算し処理する。
【発明の効果】
【００１１】
本発明の有益効果は：
【００１２】
1. 溝渠の水位の上昇とともに、フロートも上昇し、フロートが上昇して押し板の底端面と突合い、水位が継続して上昇し、それによってフロートが次第に押し板を押して上にスライドし、押し板が上にスライドして閉鎖スライドブロックを連れて上にスライドし、閉鎖スライドブロックが上にスライドして歯棹と第一歯車の噛合伝動のもとで第一回転軸が回転し、第一回転軸が回転して第一ベルトプリーを駆動して回転し、第一ベルトプリーが回転して伝動ベルトの伝動のもとで第二ベルトプリーが回転し、第二ベルトプリーが回転して第二回転軸を駆動して回転し、第二回転軸が回転して回転ドラムを駆動して回転し、それによって回転ドラムを通じて縄を伸ばし、押し板が上にスライドして左伸長ブロックの底端面と突合うまでに監視装置が沈み溝へ運動し、この時に、排水溝が完全に開かれ、溝渠の水が排水溝を通じて流出して傾斜溝を通して流出溝から排出され、溝渠の水が排出される過程で沈み溝に集約し、監視装置を通じて水質を監視し、監視した水質の情報を監視計算主機に送信して計算と処理を行い、水質の問題を快速に発見して改善し処理することに便利を与える。
【００１３】
2. 閉鎖スライドブロックが上にスライドしするうちに押出ブロックを上へ押出溝まで押出し、LED指示ランプが上へランプ保有溝の外部まで押し出され、これによりLED指示ランプを通じて直観的に排水溝が排水作業を行うことを指示し、監視装置が排出された水の水質の状態を監視している。
【００１４】
3.本発明は構造が簡単で、操作が簡単かつ便利で、水位の上昇または降下にしたがって自動的に水の排出と監視の仕事をコントロールすることを実現し、装置全体が環境を保護でき、占める面積が小さく、現代化農業灌漑の使用に相応しく、水が溝渠外に溢れることを避け、本装置の使用寿命も延長し、水を監視する効果が著しく、現在に溝渠に対する使用需要を満足する。
【図面の簡単な説明】
【００１５】
本説明しやすいため、本発明は以下の具体的な実施例と付図を交え詳しく説明する。
【００１６】
【図１】図1は本発明の快速な水質オンライン監視設備の総体構造概略図である。
【図２】図2は本発明の快速な水質オンライン監視設備の使用状態の総体構造概略図である。
【発明を実施するための形態】
【００１７】
図1と図2が示すように、本発明の快速な水質オンライン監視設備は、溝渠1と前記溝渠1に固定に設置されて前記溝渠1を遮断する堤体10を含み、前記堤体10が前記溝渠1の頂部より高いかつ前記堤体10の左端面の頂部に左伸長ブロック11が一体式に設置され、前記左伸長ブロク11の左側に左に傾いて設置されるガイドプレート12が固定に接続され、前記堤体10の左端面に前記溝渠1の頂端面の上に開き溝22が設置され、前記堤体10の左端面に前記溝渠1の頂端面の下に排水溝16が設置され、前記堤体10の右端面の底部位置に近接するところに流出溝18が設置され、前記流出溝18の底端壁に沈み溝19が設置され、前記排水溝16と前記流出溝18の間に傾斜溝17が連通され、前記流出溝18の頂端壁に上に伸びる縦様シュート20が設置され、前記開き溝22の右端壁に前記縦様シュート20の頂端と相通する横様シュート21が設置され、前記排水溝16と前記横様シュート21の間に閉鎖シュート24が連通され、前記排水溝16の底端壁に前記閉鎖シュート24と相対する閉鎖カード溝25が設置され、前記閉鎖シュート24に上下にスライドする閉鎖スライドブロック26が設置され、前記閉鎖スライドブロック26の左端面の頂部に左へ前記開き溝22を貫通するかつ前記開き溝22の外部に伸びる押し板28が固定に設置され、前記押し板28の頂端面にバランスウェイトブロック29が嵌入し設置され、前記閉鎖スライドブロック26の右端面に歯棹27が嵌入し設置され、前記横様シュート21の左端の底部に第一伝動組が設置され、前記縦様シュート21の頂端に第二伝動組が設置され、前記縦様シュート20の底端に第三伝動組と前記縦様シュート20から差し出る監視装置40が設置され、前記縦様シュート20の中に前記監視装置40と前記第三伝動組の間に仕切板41が設置され、前記仕切板41の中間に貫穴42が設置され、前記横様シュート21の頂端壁に指摘部品が設置され、前記堤体10の左端面に牽引フック13が設置され、前記牽引フック13に長線14が繋がれ、前記長線14の前記牽引フック13から遠離する一端にフロート15が繋がれ、前記排水溝16の左端の開口に濾過網23が設置され、前記堤体10の頂部に防護部品が設置される。
【００１８】
有益的には、前記指摘部品が前記横様シュート21の頂端壁に設置される押出溝44と前記堤体10の頂端面に設置されるランプ保有溝43を含み、前記押出溝44と前記ランプ保有溝43の間に右スライド溝47が連通され、前記押出溝44の頂端壁にばね溝51が設置され、前記ばね溝51に押出ばね50が設置され、前記右スライド溝47に上下に昇降できる右スライドブロック46が設置され、前記押出溝44に前記右スライドブロック46の底端と固定に接続される押出ブロック48が設置され、前記ランプ保有溝43に前記右スライドブロック46の頂端と固定に接続されるＬＥＤ指示ランプ45が設置され、前記押出ばね50の頂端が前記ばね溝51の頂端壁と固定に接続され、前記押出ばね50の底端が前記押出ブロック48の頂端面と固定に接続され、前記押出ばね50が前記押出ブロック48を下へ圧することに用いられ、前記押出ブロック48の左端が前記閉鎖スライドブロック26の上に位置し、前記防護部品がキャノピフード85と前記キャノピフード85の左右両端に設置される凸耳部87を含み、前記凸耳部87が螺子釘86を通じて前記堤体10の頂部と固定に接続され、前記キャノピフード85が前記ランプ保有溝43の外部に取付けられ、これにより前記キャノピフード85を通じて前記ＬＥＤ指示ランプ45に対する保護の役割を果たし、本装置の使用寿命を増加する。
【００１９】
有益的には、前記ガイドプレート12の底端面が前記溝渠1の頂端面と平行かつ行揃え、前記流出溝18が前記排水溝16より低く、前記閉鎖スライド溝24の底端の開口面積が前記閉鎖カード溝25の頂端の開口面積と同じく、前記閉鎖スライドブロック26が前記押し板28と一体式構造である。
【００２０】
有益的には、前記第一伝動組が前記横様シュート21の前後頂端壁に回転し係合し接続される第一回転軸30と前記第一回転軸30に固定に設置されるかつ前記歯棹27と噛み合う第一歯車31を含み、前記第一回転軸30に前記第一歯車31の前端に第一ベルトプリー32が固定に設置され、前記第一ベルトプリー32の直径が前記第一歯車31の直径より小さく、前記第二伝動組が前記縦様シュート20の前後頂端壁に回転し係合し接続される第二回転軸33と前記第二回転軸33に固定に設置されるかつ前記第一ベルトプリー32と相対する第二ベルトプリー35を含み、前記第二回転軸33に前記第二ベルトプリー35の後端に回転ドラム34が固定に設置され、前記第三伝動組が前記縦様シュート20の前後両端壁に回転し係合し接続される第三回転軸37を含み、前記第三回転軸37に案内車38が固定に設置され、前記回転ドラム34と前記監視装置40の間に引縄39が繋がれ、前記引縄39が前記案内車を避けて前記案内車と突合うかつ前記貫穴42を通し、前記第一ベルトプリー32と前記第二ベルトプリー35の間に伝動ベルト36が係合し接続される。
【００２１】
有益的には、前記第一ベルトプリー32と前記第二ベルトプリー35の直径が同じく、前記第二ベルトプリー35と前記案内車38の直径が同じく、前記回転ドラム34がロープ巻胴である。
【００２２】
有益的には、前記監視装置がPH監視器73、重金属監視器74、細菌監視器75と濁度監視器76を含み、前記PH監視器73、重金属監視器74、細菌監視器75と濁度監視器76がいずれも監視計算主機と接続され、これにより監視した溝渠中の水の情報を監視計算主機に送信して計算し処理する。
【００２３】
前記フロート15が前記溝渠1にあるかつ前記溝渠1の水が前記排水溝16に満ちってない時、前記閉鎖スライドブロック26が前記押し板28と前記バランスウェイト29の重力の影響で自動に下へスライドして前記閉鎖カード溝25に挿入し、前記閉鎖スライドブロック26を通じて前記排水溝16を閉鎖し、前記監視装置40が前記縦様シュートに戻り、前記押出ばね50の弾性力の影響で、前記押出ブロック48が前記押出溝44の外部に押し出されて前記横様シュートに挿入し、前記LED指示ランプ45が前記ランプ保有溝43に収容される。
【００２４】
前記溝渠1の水位の上昇とともに、前記フロート15も上昇し、前記フロート15が上昇して前記押し板28の底端面と突合い、水位が継続して上昇し、それによって前記フロート15が次第に前記押し板28を押して上にスライドし、前記押し板28が上にスライドして前記閉鎖スライドブロック26を連れて上にスライドし、前記閉鎖スライドブロック26が上にスライドして前記歯棹27と前記第一歯車31の噛合伝動のもとで前記第一回転軸30が回転し、前記第一回転軸30が回転して前記第一ベルトプリー32を駆動して回転し、前記第一ベルトプリー32が回転して前記伝動ベルト36の伝動のもとで前記第二ベルトプリー35が回転し、前記第二ベルトプリー35が回転して前記第二回転軸33を駆動して回転し、前記第二回転軸33が回転して前記回転ドラム34を駆動して回転し、それによって前記回転ドラム34を通じて縄を伸ばし、前記押し板28が上にスライドして前記左伸長ブロック11の底端面と突合うまでに前記監視装置40が前記沈み溝19へ運動し、この時に、前記排水溝16が完全に開かれ、前記溝渠1の水が前記排水溝16を通じて流出して前記傾斜溝17を通して前記流出溝18から排出され、前記溝渠1の水が排出される過程で前記沈み溝19に集約し、前記監視装置40を通じて水質を監視し、監視した水質の情報を監視計算主機に送信して計算と処理を行い、水質の問題を快速に発見して改善し処理することに便利を与え、前記閉鎖スライドブロック26が上にスライドしするうちに前記押出ブロック48を上へ押出溝44まで押出し、前記LED指示ランプ45が上へ前記ランプ保有溝の外部まで押し出され、これにより前記LED指示ランプ45を通じて直観的に前記排水溝が排水作業を行うことを指示し、前記監視装置40が排出された水の水質の状態を監視している。
【００２５】
水位が降下した後、前記押し板28と前記バランスウェイト29の作用のもとで、本装置が初期位置状態に戻る。
【図１】
2019203870.tif 000003
【図２】
2019203870.tif 000004
【手続補正書】
【提出日】令和1年6月23日(2019.6.23)
【手続補正１】
【補正対象書類名】特許請求の範囲
【補正対象項目名】全文
【補正方法】変更
【補正の内容】
【特許請求の範囲】
【請求項１】
快速な水質オンライン監視設備であって、溝渠と前記溝渠に固定して設置されて前記溝渠を遮断する堤体を含み、前記堤体に、前記溝渠の頂部より高くかつ前記堤体の左端面よりも左に伸張する左伸長ブロックが一体式に設置され、前記左伸長ブロックの左側に左に傾いて設置されるガイドプレートが固定して接続され、前記堤体の左端と同一面でかつ前記溝渠の頂端面の上に開き溝が設置され、前記堤体の左端と同一面でかつ前記溝渠の頂端面の下に排水溝が設置され、前記堤体の右端面の底部位置に近接するところに流出溝が設置され、前記流出溝の底端壁に沈み溝が設置され、前記排水溝と前記流出溝の間に傾斜溝が連通され、前記流出溝の頂端壁に上に伸びる縦様シュートが設置され、前記開き溝の右端壁に前記縦様シュートの頂端と相通する横様シュートが設置され、前記排水溝と前記横様シュートの間に閉鎖シュートが連通され、前記排水溝の底端壁に前記閉鎖シュートと相対する閉鎖カード溝が設置され、前記閉鎖シュートに上下にスライドする閉鎖スライドブロックが設置され、前記閉鎖スライドブロックの左端面の頂部に左へ前記開き溝を貫通しかつ前記開き溝の外部に伸びる押し板が固定して設置され、前記押し板の頂端面にバランスウェイトブロックが嵌入し設置され、前記閉鎖スライドブロックの右端面に歯棹が嵌入し設置され、前記横様シュートの左端の底部に第一伝動組が設置され、前記縦様シュートの頂端に第二伝動組が設置され、前記縦様シュートの底端に第三伝動組と前記縦様シュートから差し出る監視装置が設置され、前記縦様シュートの中に前記監視装置と前記第三伝動組の間に仕切板が設置され、前記仕切板の中間に貫穴が設置され、前記横様シュートの頂端壁に指摘部品が設置され、前記堤体の左端面に牽引フックが設置され、前記牽引フックに長線が繋がれ、前記長線の前記牽引フックから遠離する一端にフロートが繋がれ、前記排水溝の左端の開口に濾過網が設置され、前記堤体の頂部に防護部品が設置され、前記指摘部品が前記横様シュートの頂端壁に設置される押出溝と前記堤体の頂端面に設置されるランプ保有溝を含み、前記押出溝と前記ランプ保有溝の間に右スライド溝が連通され、前記押出溝の頂端壁にばね溝が設置され、前記ばね溝に押出ばねが設置され、前記右スライド溝に上下に昇降できる右スライドブロックが設置され、前記押出溝に前記右スライドブロックの底端と固定して接続される押出ブロックが設置され、前記ランプ保有溝に前記右スライドブロックの頂端と固定して接続されるＬＥＤ指示ランプが設置され、前記押出ばねの頂端が前記ばね溝の頂端壁と固定して接続され、前記押出ばねの底端が前記押出ブロックの頂端面と固定して接続され、前記押出ばねが前記押出ブロックを下へ圧することに用いられ、前記押出ブロックの左端が前記閉鎖スライドブロックの上に位置し、前記防護部品がキャノピフードと前記キャノピフードの左右両端に設置される凸耳部を含み、前記凸耳部が螺子釘を通じて前記堤体の頂部と固定して接続され、前記キャノピフードが前記ランプ保有溝の外部に取付けられ、前記ガイドプレートの底端面が前記溝渠の頂端面と同一の水平面にあり、前記流出溝が前記排水溝より低く、前記閉鎖シュートの底端の開口面積が前記閉鎖カード溝の頂端の開口面積と同じく、前記閉鎖スライドブロックが前記押し板と一体式構造であり、前記第一伝動組が前記横様シュートの前後頂端壁に回転し係合し接続される第一回転軸と前記第一回転軸に固定して設置されるかつ前記歯棹と噛み合う第一歯車を含み、前記第一回転軸に前記第一歯車の前端に第一ベルトプリーが固定して設置され、前記第一ベルトプリーの直径が前記第一歯車の直径より小さく、前記第二伝動組が前記縦様シュートの前後頂端壁に回転し係合し接続される第二回転軸と前記第二回転軸に固定して設置されるかつ前記第一ベルトプリーと相対する第二ベルトプリーを含み、前記第二回転軸に前記第二ベルトプリーの後端に回転ドラムが固定して設置され、前記第三伝動組が前記縦様シュートの前後両端壁に回転し係合し接続される第三回転軸を含み、前記第三回転軸に案内車が固定して設置され、前記回転ドラムと前記監視装置の間に引縄が繋がれ、前記引縄が前記案内車を避けて前記案内車と当接するかつ前記貫穴を通し、前記第一ベルトプリーと前記第二ベルトプリーの間に伝動ベルトが係合し接続され、前記第一ベルトプリーと前記第二ベルトプリーの直径が同じく、前記第二ベルトプリーと前記案内車の直径が同じく、前記回転ドラムがロープ巻胴であり、前記監視装置がPH監視器、重金属監視器、細菌監視器と濁度監視器を含み、前記PH監視器、重金属監視器、細菌監視器と濁度監視器がいずれも監視計算主機と接続され、これにより監視した溝渠中の水の情報を監視計算主機に送信して計算し処理することを特徴とする、水質オンライン監視設備。
【手続補正２】
【補正対象書類名】明細書
【補正対象項目名】全文
【補正方法】変更
【補正の内容】
【発明の詳細な説明】
【技術分野】
【０００１】
本発明は水利技術分野に関し、具体的には、快速な水質オンライン監視設備に関する。
【背景技術】
【０００２】
現在に、国内では多くの小型水域が水質監視設備が取付けられておらず、此れは現在の水質監視の大部分が主要的な水域に集中され、小型の河または灌漑溝渠では価格が高くて機型が膨大であるため、装置の取付けが実施しておらず、特に灌漑溝渠では、灌漑用水の汚染が農作物の死亡に繋ぎ、農作物の凶作から災害までをもたらす。このため、現在の水質監視設備は灌漑溝渠の使用を満足できず、快速な水質オンライン監視設備が切に必要である。
【先行技術文献】
【特許文献】
【０００３】
【特許文献１】中国特許出願公開第105974081号明細書
【発明の概要】
【発明が解決しようとする課題】
【０００４】
本発明の目的は上記の背景技術に提出された問題を解決するための快速な水質オンライン監視設備を提供することにある。
【０００５】
上記の目的を実現するために、本発明には、溝渠と前記溝渠に固定して設置されて前記溝渠を遮断する堤体を含み、前記堤体に、前記溝渠の頂部より高くかつ前記堤体の左端面よりも左に伸張する左伸長ブロックが一体式に設置され、前記左伸長ブロックの左側に左に傾いて設置されるガイドプレートが固定して接続され、前記堤体の左端と同一面でかつ前記溝渠の頂端面の上に開き溝が設置され、前記堤体の左端と同一面でかつ前記溝渠の頂端面の下に排水溝が設置され、前記堤体の右端面の底部位置に近接するところに流出溝が設置され、前記流出溝の底端壁に沈み溝が設置され、前記排水溝と前記流出溝の間に傾斜溝が連通され、前記流出溝の頂端壁に上に伸びる縦様シュートが設置され、前記開き溝の右端壁に前記縦様シュートの頂端と相通する横様シュートが設置され、前記排水溝と前記横様シュートの間に閉鎖シュートが連通され、前記排水溝の底端壁に前記閉鎖シュートと相対する閉鎖カード溝が設置され、前記閉鎖シュートに上下にスライドする閉鎖スライドブロックが設置され、前記閉鎖スライドブロックの左端面の頂部に左へ前記開き溝を貫通しかつ前記開き溝の外部に伸びる押し板が固定して設置され、前記押し板の頂端面にバランスウェイトブロックが嵌入し設置され、前記閉鎖スライドブロックの右端面に歯棹が嵌入し設置され、前記横様シュートの左端の底部に第一伝動組が設置され、前記縦様シュートの頂端に第二伝動組が設置され、前記縦様シュートの底端に第三伝動組と前記縦様シュートから差し出る監視装置が設置され、前記縦様シュートの中に前記監視装置と前記第三伝動組の間に仕切板が設置され、前記仕切板の中間に貫穴が設置され、前記横様シュートの頂端壁に指摘部品が設置され、前記堤体の左端面に牽引フックが設置され、前記牽引フックに長線が繋がれ、前記長線の前記牽引フックから遠離する一端にフロートが繋がれ、前記排水溝の左端の開口に濾過網が設置され、前記堤体の頂部に防護部品が設置される。
【０００６】
好ましい技術プランとして、前記指摘部品が前記横様シュートの頂端壁に設置される押出溝と前記堤体の頂端面に設置されるランプ保有溝を含み、前記押出溝と前記ランプ保有溝の間に右スライド溝が連通され、前記押出溝の頂端壁にばね溝が設置され、前記ばね溝に押出ばねが設置され、前記右スライド溝に上下に昇降できる右スライドブロックが設置され、前記押出溝に前記右スライドブロックの底端と固定して接続される押出ブロックが設置され、前記ランプ保有溝に前記右スライドブロックの頂端と固定して接続されるＬＥＤ指示ランプが設置され、前記押出ばねの頂端が前記ばね溝の頂端壁と固定して接続され、前記押出ばねの底端が前記押出ブロックの頂端面と固定して接続され、前記押出ばねが前記押出ブロックを下へ圧することに用いられ、前記押出ブロックの左端が前記閉鎖スライドブロックの上に位置し、前記防護部品がキャノピフードと前記キャノピフードの左右両端に設置される凸耳部を含み、前記凸耳部が螺子釘を通じて前記堤体の頂部と固定して接続され、前記キャノピフードが前記ランプ保有溝の外部に取付けられる。
【０００７】
好ましい技術プランとして、前記ガイドプレートの底端面が前記溝渠の頂端面と同一の水平面にあり、前記流出溝が前記排水溝より低く、前記閉鎖シュートの底端の開口面積が前記閉鎖カード溝の頂端の開口面積と同じく、前記閉鎖スライドブロックが前記押し板と一体式構造である。
【０００８】
好ましい技術プランとして、前記第一伝動組が前記横様シュートの前後頂端壁に回転し係合し接続される第一回転軸と前記第一回転軸に固定して設置されるかつ前記歯棹と噛み合う第一歯車を含み、前記第一回転軸に前記第一歯車の前端に第一ベルトプリーが固定して設置され、前記第一ベルトプリーの直径が前記第一歯車の直径より小さく、前記第二伝動組が前記縦様シュートの前後頂端壁に回転し係合し接続される第二回転軸と前記第二回転軸に固定して設置されるかつ前記第一ベルトプリーと相対する第二ベルトプリーを含み、前記第二回転軸に前記第二ベルトプリーの後端に回転ドラムが固定して設置され、前記第三伝動組が前記縦様シュートの前後両端壁に回転し係合し接続される第三回転軸を含み、前記第三回転軸に案内車が固定して設置され、前記回転ドラムと前記監視装置の間に引縄が繋がれ、前記引縄が前記案内車を避けて前記案内車と当接するかつ前記貫穴を通し、前記第一ベルトプリーと前記第二ベルトプリーの間に伝動ベルトが係合し接続される。
【０００９】
好ましい技術プランとして、前記第一ベルトプリーと前記第二ベルトプリーの直径が同じく、前記第二ベルトプリーと前記案内車の直径が同じく、前記回転ドラムがロープ巻胴である。
【００１０】
好ましい技術プランとして、前記監視装置がPH監視器、重金属監視器、細菌監視器と濁度監視器を含み、前記PH監視器、重金属監視器、細菌監視器と濁度監視器がいずれも監視計算主機と接続され、これにより監視した溝渠中の水の情報を監視計算主機に送信して計算し処理する。
【発明の効果】
【００１１】
本発明の有益効果は：
【００１２】
1. 溝渠の水位の上昇とともに、フロートも上昇し、フロートが上昇して押し板の底端面と当接し、水位が継続して上昇し、それによってフロートが次第に押し板を押して上にスライドし、押し板が上にスライドして閉鎖スライドブロックを連れて上にスライドし、閉鎖スライドブロックが上にスライドして歯棹と第一歯車の噛合伝動のもとで第一回転軸が回転し、第一回転軸が回転して第一ベルトプリーを駆動して回転し、第一ベルトプリーが回転して伝動ベルトの伝動のもとで第二ベルトプリーが回転し、第二ベルトプリーが回転して第二回転軸を駆動して回転し、第二回転軸が回転して回転ドラムを駆動して回転し、それによって回転ドラムを通じて縄を伸ばし、押し板が上にスライドして左伸長ブロックの底端面と当接するまでに監視装置が沈み溝へ運動し、この時に、排水溝が完全に開かれ、溝渠の水が排水溝を通じて流出して傾斜溝を通して流出溝から排出され、溝渠の水が排出される過程で沈み溝に集約し、監視装置を通じて水質を監視し、監視した水質の情報を監視計算主機に送信して計算と処理を行い、水質の問題を快速に発見して改善し処理することに便利を与える。
【００１３】
2. 閉鎖スライドブロックが上にスライドしするうちに押出ブロックを上へ押出溝まで押出し、LED指示ランプが上へランプ保有溝の外部まで押し出され、これによりLED指示ランプを通じて直観的に排水溝が排水作業を行うことを指示し、監視装置が排出された水の水質の状態を監視している。
【００１４】
3.本発明は構造が簡単で、操作が簡単かつ便利で、水位の上昇または降下にしたがって自動的に水の排出と監視の仕事をコントロールすることを実現し、装置全体が環境を保護でき、占める面積が小さく、現代化農業灌漑の使用に相応しく、水が溝渠外に溢れることを避け、本装置の使用寿命も延長し、水を監視する効果が著しく、現在に溝渠に対する使用需要を満足する。
【図面の簡単な説明】
【００１５】
本説明しやすいため、本発明は以下の具体的な実施例と付図を交え詳しく説明する。
【００１６】
【図１】図1は本発明の快速な水質オンライン監視設備の総体構造概略図である。
【図２】図2は本発明の快速な水質オンライン監視設備の使用状態の総体構造概略図    である。
【発明を実施するための形態】
【００１７】
図1と図2が示すように、本発明の快速な水質オンライン監視設備は、溝渠1と前記溝渠1に固定して設置されて前記溝渠1を遮断する堤体10を含み、前記堤体10に、前記溝渠1の頂部より高くかつ前記堤体10の左端面よりも左に伸張する左伸長ブロック11が一体式に設置され、前記左伸長ブロック11の左側に左に傾いて設置されるガイドプレート12が固定して接続され、前記堤体10の左端と同一面でかつ前記溝渠1の頂端面の上に開き溝22が設置され、前記堤体10の左端と同一面でかつ前記溝渠1の頂端面の下に排水溝16が設置され、前記堤体10の右端面の底部位置に近接するところに流出溝18が設置され、前記流出溝18の底端壁に沈み溝19が設置され、前記排水溝16と前記流出溝18の間に傾斜溝17が連通され、前記流出溝18の頂端壁に上に伸びる縦様シュート20が設置され、前記開き溝22の右端壁に前記縦様シュート20の頂端と相通する横様シュート21が設置され、前記排水溝16と前記横様シュート21の間に閉鎖シュート24が連通され、前記排水溝16の底端壁に前記閉鎖シュート24と相対する閉鎖カード溝25が設置され、前記閉鎖シュート24に上下にスライドする閉鎖スライドブロック26が設置され、前記閉鎖スライドブロック26の左端面の頂部に左へ前記開き溝22を貫通しかつ前記開き溝22の外部に伸びる押し板28が固定して設置され、前記押し板28の頂端面にバランスウェイトブロック29が嵌入し設置され、前記閉鎖スライドブロック26の右端面に歯棹27が嵌入し設置され、前記横様シュート21の左端の底部に第一伝動組が設置され、前記縦様シュート21の頂端に第二伝動組が設置され、前記縦様シュート20の底端に第三伝動組と前記縦様シュート20から差し出る監視装置40が設置され、前記縦様シュート20の中に前記監視装置40と前記第三伝動組の間に仕切板41が設置され、前記仕切板41の中間に貫穴42が設置され、前記横様シュート21の頂端壁に指摘部品が設置され、前記堤体10の左端面に牽引フック13が設置され、前記牽引フック13に長線14が繋がれ、前記長線14の前記牽引フック13から遠離する一端にフロート15が繋がれ、前記排水溝16の左端の開口に濾過網23が設置され、前記堤体10の頂部に防護部品が設置される。
【００１８】
有益的には、前記指摘部品が前記横様シュート21の頂端壁に設置される押出溝44と前記堤体10の頂端面に設置されるランプ保有溝43を含み、前記押出溝44と前記ランプ保有溝43の間に右スライド溝47が連通され、前記押出溝44の頂端壁にばね溝51が設置され、前記ばね溝51に押出ばね50が設置され、前記右スライド溝47に上下に昇降できる右スライドブロック46が設置され、前記押出溝44に前記右スライドブロック46の底端と固定して接続される押出ブロック48が設置され、前記ランプ保有溝43に前記右スライドブロック46の頂端と固定して接続されるＬＥＤ指示ランプ45が設置され、前記押出ばね50の頂端が前記ばね溝51の頂端壁と固定して接続され、前記押出ばね50の底端が前記押出ブロック48の頂端面と固定して接続され、前記押出ばね50が前記押出ブロック48を下へ圧することに用いられ、前記押出ブロック48の左端が前記閉鎖スライドブロック26の上に位置し、前記防護部品がキャノピフード85と前記キャノピフード85の左右両端に設置される凸耳部87を含み、前記凸耳部87が螺子釘86を通じて前記堤体10の頂部と固定して接続され、前記キャノピフード85が前記ランプ保有溝43の外部に取付けられ、これにより前記キャノピフード85を通じて前記ＬＥＤ指示ランプ45に対する保護の役割を果たし、本装置の使用寿命を増加する。
【００１９】
有益的には、前記ガイドプレート12の底端面が前記溝渠1の頂端面と同一の水平面にあり、前記流出溝18が前記排水溝16より低く、前記閉鎖シュート24の底端の開口面積が前記閉鎖カード溝25の頂端の開口面積と同じく、前記閉鎖スライドブロック26が前記押し板28と一体式構造である。
【００２０】
有益的には、前記第一伝動組が前記横様シュート21の前後頂端壁に回転し係合し接続される第一回転軸30と前記第一回転軸30に固定して設置されるかつ前記歯棹27と噛み合う第一歯車31を含み、前記第一回転軸30に前記第一歯車31の前端に第一ベルトプリー32が固定して設置され、前記第一ベルトプリー32の直径が前記第一歯車31の直径より小さく、前記第二伝動組が前記縦様シュート20の前後頂端壁に回転し係合し接続される第二回転軸33と前記第二回転軸33に固定して設置されるかつ前記第一ベルトプリー32と相対する第二ベルトプリー35を含み、前記第二回転軸33に前記第二ベルトプリー35の後端に回転ドラム34が固定して設置され、前記第三伝動組が前記縦様シュート20の前後両端壁に回転し係合し接続される第三回転軸37を含み、前記第三回転軸37に案内車38が固定して設置され、前記回転ドラム34と前記監視装置40の間に引縄39が繋がれ、前記引縄39が前記案内車を避けて前記案内車と当接するかつ前記貫穴42を通し、前記第一ベルトプリー32と前記第二ベルトプリー35の間に伝動ベルト36が係合し接続される。
【００２１】
有益的には、前記第一ベルトプリー32と前記第二ベルトプリー35の直径が同じく、前記第二ベルトプリー35と前記案内車38の直径が同じく、前記回転ドラム34がロープ巻胴である。
【００２２】
有益的には、前記監視装置がPH監視器73、重金属監視器74、細菌監視器75と濁度監視器76を含み、前記PH監視器73、重金属監視器74、細菌監視器75と濁度監視器76がいずれも監視計算主機と接続され、これにより監視した溝渠中の水の情報を監視計算主機に送信して計算し処理する。
【００２３】
前記フロート15が前記溝渠1にあるかつ前記溝渠1の水が前記排水溝16に満ちってない時、前記閉鎖スライドブロック26が前記押し板28と前記バランスウェイト29の重力の影響で自動に下へスライドして前記閉鎖カード溝25に挿入し、前記閉鎖スライドブロック26を通じて前記排水溝16を閉鎖し、前記監視装置40が前記縦様シュートに戻り、前記押出ばね50の弾性力の影響で、前記押出ブロック48が前記押出溝44の外部に押し出されて前記横様シュートに挿入し、前記LED指示ランプ45が前記ランプ保有溝43に収容される。
【００２４】
前記溝渠1の水位の上昇とともに、前記フロート15も上昇し、前記フロート15が上昇して前記押し板28の底端面と当接し、水位が継続して上昇し、それによって前記フロート15が次第に前記押し板28を押して上にスライドし、前記押し板28が上にスライドして前記閉鎖スライドブロック26を連れて上にスライドし、前記閉鎖スライドブロック26が上にスライドして前記歯棹27と前記第一歯車31の噛合伝動のもとで前記第一回転軸30が回転し、前記第一回転軸30が回転して前記第一ベルトプリー32を駆動して回転し、前記第一ベルトプリー32が回転して前記伝動ベルト36の伝動のもとで前記第二ベルトプリー35が回転し、前記第二ベルトプリー35が回転して前記第二回転軸33を駆動して回転し、前記第二回転軸33が回転して前記回転ドラム34を駆動して回転し、それによって前記回転ドラム34を通じて縄を伸ばし、前記押し板28が上にスライドして前記左伸長ブロック11の底端面と当接するまでに前記監視装置40が前記沈み溝19へ運動し、この時に、前記排水溝16が完全に開かれ、前記溝渠1の水が前記排水溝16を通じて流出して前記傾斜溝17を通して前記流出溝18から排出され、前記溝渠1の水が排出される過程で前記沈み溝19に集約し、前記監視装置40を通じて水質を監視し、監視した水質の情報を監視計算主機に送信して計算と処理を行い、水質の問題を快速に発見して改善し処理することに便利を与え、前記閉鎖スライドブロック26が上にスライドしするうちに前記押出ブロック48を上へ押出溝44まで押出し、前記LED指示ランプ45が上へ前記ランプ保有溝の外部まで押し出され、これにより前記LED指示ランプ45を通じて直観的に前記排水溝が排水作業を行うことを指示し、前記監視装置40が排出された水の水質の状態を監視している。
【００２５】
水位が降下した後、前記押し板28と前記バランスウェイト29の作用のもとで、本装置が初期位置状態に戻る。